(57)【要約】【課題】外部から提供された振動、衝撃などによる損傷を最小化させ得る第１液晶表示パネル及び第２液晶表示パネルを備えるデュアル液晶表示装置を提供する。【解決手段】第１カバー１０と第２カバー６０との間に配置された第１液晶表示パネル２０と、第１カバー１０と第２カバー６０との間に配置され、第１液晶表示パネル２０と互いに背にして設けられた第２液晶表示パネル７０と、第１液晶表示パネル２０と第２液晶表示パネル７０との間に配置されたメインフレーム５０と、第２液晶表示パネル７０をメインフレーム５０に接続するプレート１００とを備えることを特徴とする。【選択図】図２Ａ
2008015453.tif 000002
【特許請求の範囲】
【請求項１】
第１カバーと第２カバーとの間に配置された第１液晶表示パネルと、
前記第１カバーと第２カバーとの間に配置され、前記第１液晶表示パネルと互いに背にして設けられた第２液晶表示パネルと、
前記第１液晶表示パネルと前記第２液晶表示パネルとの間に配置されたメインフレームと、
前記第２液晶表示パネルをメインフレームに接続するプレートと
を備えることを特徴とする液晶表示装置。
【請求項２】
前記プレートが、
本体と、
前記本体のエッジに沿って形成され、メインフレームと締結されるように前記メインフレーム方向を有する第１支持部と、
前記本体上に形成され、前記第２液晶表示パネルを収容するように前記第２カバー方向を有する第２支持部と
を備えることを特徴とする請求項１に記載の液晶表示装置。
【請求項３】
前記プレートが、両面テープにより前記メインフレームに取り付けられたことを特徴とする請求項１に記載の液晶表示装置。
【請求項４】
前記第１支持部と前記第２支持部が、前記本体と一体に形成されたことを特徴とする請求項１に記載の液晶表示装置。
【請求項５】
前記第１支持部及び第２支持部が、シェブロン形状又はフック形状に形成されることを特徴とする請求項２に記載の液晶表示装置。
【請求項６】
前記プレートが、アルミニウム合金、ステンレス金属、プラスチックのうち、少なくとも１つで形成されたことを特徴とする請求項１に記載の液晶表示装置。
【請求項７】
前記プレートには、複数のカットホールが設けられたことを特徴とする請求項１に記載の液晶表示装置。
【請求項８】
前記第２支持部には、前記第２液晶表示パネルの形状と対応する空間が画定される複数の支持台が設けられたことを特徴とする請求項２に記載の液晶表示装置。
【請求項９】
前記本体の表面上には衝撃吸収体が備えられたことを特徴とする請求項２に記載の液晶表示装置。
【請求項１０】
前記プレートが、
本体と、
前記本体のエッジに沿って形成され、メインフレームと締結されるように前記メインフレーム方向に曲げられた第１支持部と、
前記本体上に形成され、前記第２液晶表示パネルを収容するように前記第２カバー方向に曲げられた第２支持部と
を備えることを特徴とする請求項１に記載の液晶表示装置。
【請求項１１】
第１カバーと第２カバーとの間に配置され、前記第１カバーを介して第１映像をディスプレイする第１液晶表示パネルと、
前記第１カバーと第２カバーとの間に配置され、前記第２カバーを介して第２映像をディスプレイし、前記第１液晶表示パネルと互いに背にして設けられた第２液晶表示パネルと、
前記第１液晶表示パネルと前記第２液晶表示パネルとの間に配置されたメインフレームを備えた液晶表示装置と、
前記第２液晶表示パネルをメインフレームに接続するプレートと、
前記液晶表示装置と接続した本体と
を備えることを特徴とする携帯用コンピュータ。
【請求項１２】
前記液晶表示装置が、少なくとも１つ以上のヒンジにより本体と接続されたことを特徴とする請求項１１に記載の携帯用コンピュータ。
【請求項１３】
前記本体が、
第１入力ユニットと、
前記本体及び液晶表示装置に電力を供給する電力供給部と
を備えることを特徴とする請求項１１に記載の携帯用コンピュータ。
【請求項１４】
前記本体が、
メモリと、
前記メモリを制御し、前記第１及び／または第２液晶表示パネルにデータを伝送するＣＰＵと、
前記第１液晶表示パネルと前記第２液晶表示パネルを選択するコントローラと
を備えることを特徴とする請求項１１に記載の携帯用コンピュータ。
【請求項１５】
前記第２カバーには、第２入力ユニットが設けられたことを特徴とする請求項１１に記載の携帯用コンピュータ。
【請求項１６】
前記第２液晶表示パネルが、タッチスクリーンであることを特徴とする請求項１１に記載の携帯用コンピュータ。
【請求項１７】
前記プレートが、
本体と、
前記本体のエッジに沿って形成され、メインフレームと締結されるように前記メインフレーム方向を有する第１支持部と、
前記本体上に形成され、前記第２液晶表示パネルを収容するように前記第２カバー方向を有する第２支持部と
を備えることを特徴とする請求項１１に記載の携帯用コンピュータ。
【請求項１８】
前記第１支持部上には、前記プレートをメインフレーム上に取り付けるための両面テープが形成されたことを特徴とする請求項１７に記載の携帯用コンピュータ。
【請求項１９】
前記第１支持部及び前記第２支持部が、前記本体と一体に形成されたことを特徴とする請求項１８に記載の携帯用コンピュータ。
【請求項２０】
前記第１及び第２支持部が、シェブロン形状又はフック形状に形成されることを特徴とする請求項１７に記載の携帯用コンピュータ。
【請求項２１】
前記プレートが、アルミニウム合金、ステンレス金属、プラスチックのうち、少なくとも１つで形成されたことを特徴とする請求項１１に記載の携帯用コンピュータ。
【請求項２２】
前記プレートには、複数のカットホールが設けられたことを特徴とする請求項１１に記載の携帯用コンピュータ。
【請求項２３】
前記第２支持部には、前記第２液晶表示パネルの形状と対応する空間が画定される複数の支持台が設けられたことを特徴とする請求項１７に記載の携帯用コンピュータ。
【請求項２４】
前記本体の表面上には、衝撃吸収体が備えられたことを特徴とする請求項１７に記載の携帯用コンピュータ。
【請求項２５】
前記衝撃吸収体が、スポンジを含むことを特徴とする請求項２４に記載の携帯用コンピュータ。
【請求項２６】
前記プレートが、
本体と、
前記本体のエッジに沿って形成され、メインフレームと締結されるように前記メインフレーム方向に曲げられた第１支持部と、
前記本体上に形成され、前記第２液晶表示パネルを収容するように前記第２カバー方向に曲げられた第２支持部と
を備えることを特徴とする請求項１１に記載の携帯用コンピュータ。
【請求項２７】
第１カバーと第２カバーとの間に配置された第１液晶表示パネルを形成するステップと、
前記第１カバーと第２カバーとの間に配置され、前記第１液晶表示パネルと互いに背にして第２液晶表示パネルを形成するステップと、
前記第１液晶表示パネルと前記第２液晶表示パネルとの間にメインフレームを形成するステップと、
前記第２液晶表示パネルをメインフレームに接続するプレートを形成するステップと
を含むことを特徴とする液晶表示装置の製造方法。
【請求項２８】
前記本体のエッジに沿って形成し、メインフレームと締結されるように前記メインフレーム方向を有する第１支持部を形成するステップと、
前記本体上に形成し、前記第２液晶表示パネルを収容するように前記第２カバー方向を有する第２支持部を形成するステップと
をさらに含むことを特徴とする請求項２７に記載の液晶表示装置の製造方法。
【請求項２９】
前記プレートが、両面テープにより前記メインフレームに取り付けられることを特徴とする請求項２７に記載の液晶表示装置の製造方法。
【請求項３０】
前記第１支持部及び前記第２支持部が、前記本体と一体に形成されることを特徴とする請求項２８に記載の液晶表示装置の製造方法。
【請求項３１】
前記第１及び第２支持部が、シェブロン形状又はフック形状に形成されることを特徴とする請求項２８に記載の液晶表示装置の製造方法。
【請求項３２】
前記プレートが、アルミニウム合金、ステンレス金属、プラスチックのうち、少なくとも１つで形成されることを特徴とする請求項２７に記載の液晶表示装置の製造方法。
【請求項３３】
前記プレートには、複数のカットホールが設けられることを特徴とする請求項２７に記載の液晶表示装置の製造方法。
【請求項３４】
前記第２支持部には、前記第２液晶表示パネルの形状と対応する空間が画定される複数の支持台が設けられることを特徴とする請求項２８に記載の液晶表示装置の製造方法。
【請求項３５】
前記本体の表面上には、衝撃吸収体が備えられることを特徴とする請求項２８に記載の液晶表示装置の製造方法。
【請求項３６】
前記プレートは、
本体と、
前記本体のエッジに沿って形成され、メインフレームと締結されるように前記メインフレーム方向に曲げられた第１支持部と、
前記本体上に形成され、前記第２液晶表示パネルを収容するように前記第２カバー方向に曲げられた第２支持部と
を備えていることを特徴とする請求項２７に記載の液晶表示装置の製造方法。
【発明の詳細な説明】
【技術分野】
【０００１】
本発明は、液晶表示装置に関し、特に複数の液晶表示パネルを備えた液晶表示装置及びこれを備えた携帯用コンピュータに関する。
【背景技術】
【０００２】
フラット型表示装置の１つである液晶表示装置（ＬＣＤ）は、視認性に優れており、平均消費電力も、同じ画面サイズのＣＲＴに比べて少ないだけでなく、薄型かつ軽量で製造可能である。
そのため、前記液晶表示装置は、携帯電話のモニター、コンピュータのモニター、テレビの次世代表示装置として注目されつつある。特に、表示画面に液晶を用いる携帯用コンピュータは、液晶表示パネル、及び該液晶表示パネルにヒンジにより接続した本体で構成されて、折り畳み式で携帯の便利を図った。
【０００３】
図１Ａ及び図１Ｂは、従来の携帯用コンピュータを示す斜視図である。
図１Ａ及び図１Ｂに示すように、携帯用コンピュータ５０１は、液晶表示パネル５２０を備える液晶表示装置５０５、及びヒンジ７３０により接続する本体７０１で構成されている。
【０００４】
液晶表示装置５０５は、画面を表示する部分であって、表示機能を行うために複数の装置を備えている。すなわち、液晶表示装置５０５は、液晶を間に置いて上下基板が合着された液晶パネル５２０、液晶パネル５２０を駆動させるためのドライブ及び各種回路素子が取り付けられた駆動回路部、及び背面から光を照射するバックライトアセンブリーで構成されている。
【０００５】
液晶表示装置５０５は、上記構成要素を保護する裏面ケース５６０及び前面ケース５１０を備えている。
前面ケース５１０は、表示機能を行うことができる表示領域を除外した液晶パネルのエッジをカバーする形状のケースである。
裏面ケース５６０は、液晶表示装置５０５の最も外側のカバーであって、バックライトアセンブリーの背面において外部の衝撃及び異質物から液晶表示パネル５２０、バックライトアセンブリーなどの構成要素を保護する。
【０００６】
本体７０１は、液晶表示装置５０５とヒンジ７３０を媒介に接続されている。ここで、図示していないが、本体７０１には、中央処理装置、メモリ装置、及びディスクドライブなどのコンピュータ回路構成が設けられる。
【０００７】
本体７０１の下部には、電源を供給する電力供給部７２０を備え、上部には、入力装置７１０が設けられる。そして、本体７０１には、位置決め装置をさらに備えることがきる。
【０００８】
このように、携帯用コンピュータ５０１は、画面を表示する表示部５２５を有する液晶表示装置５０５と、命令を入力する入力装置７１０を備えた本体７０１とが、ヒンジ７３０により接続されている。それで、携帯用コンピュータ５０１を使用しない場合には、表示部５２５を有する液晶表示装置５０５を閉じて、本体７０１の入力装置７１０、及び液晶表示装置５０５の表示部５２５を保護する。
【０００９】
このような場合、液晶表示装置５０５の表示情報を得るためには、閉じてある液晶表示装置５０５を開かなければならないという不便さがあった。
したがって、液晶表示装置５０５の簡単な情報を得るために、必ず液晶表示パネル５０５を開かなければならないため、便利性を追求するユーザの要求を充足させることができないという問題が発生する。
【発明の開示】
【発明が解決しようとする課題】
【００１０】
本発明は、上述の問題点に鑑みてなされたもので、その目的は、携帯用コンピュータにおいて、外部から提供された振動、衝撃などによる第１及び第２液晶表示パネルの損傷を最小化させ得るデュアル液晶表示装置を開示することにある。
【００１１】
本発明の目的は、第１液晶表示パネル及び第２液晶表示パネルを備える液晶表示装置において、第２液晶表示パネルを支持／固定できるプレートを備えることにより、製品の信頼性を向上させ得る液晶表示装置及びこれを備えた携帯用コンピュータを提供することにある。
【００１２】
また、本発明の他の目的は、第２液晶表示パネルを支持／固定できるプレートを標準化することにより、便利な組み立てで大量生産可能な液晶表示装置部及びこれを備えた携帯用コンピュータを提供することにある。
【００１３】
また、本発明のさらに他の目的は、カバー外部に露出された液晶表示パネルの表示部から必要な情報を得ることができ、ユーザの便利性を向上させ得る液晶表示装置及びこれを備えた携帯用コンピュータを提供することにある。
【課題を解決するための手段】
【００１４】
上記の目的を達成すべく、本発明に係る液晶表示装置によれば、第１カバーと第２カバーとの間に配置された第１液晶表示パネルと、前記第１カバーと第２カバーとの間に配置され、前記第１液晶表示パネルと互いに背にして設けられた第２液晶表示パネルと、前記第１液晶表示パネルと前記第２液晶表示パネルとの間に配置されたメインフレームと、前記第２液晶表示パネルをメインフレームに接続するプレートとを備える。
【００１５】
また、本発明に係る携帯用コンピュータによれば、第１カバーと第２カバーとの間に配置され、前記第１カバーを介して第１映像をディスプレイする第１液晶表示パネルと、前記第１カバーと第２カバーとの間に配置され、前記第２カバーを介して第２映像をディスプレイし、前記第１液晶表示パネルと互いに背にして設けられた第２液晶表示パネルと、前記第１液晶表示パネルと前記第２液晶表示パネルとの間に配置されたメインフレームを備えた液晶表示装置と、前記第２液晶表示パネルをメインフレームに接続するプレートと、前記液晶表示装置と接続した本体とを備える。
【００１６】
また、本発明に係る液晶表示装置の製造方法によれば、第１カバーと第２カバーとの間に配置された第１液晶表示パネルを形成するステップと、前記第１カバーと第２カバーとの間に配置され、前記第１液晶表示パネルと互いに背にして第２液晶表示パネルを形成するステップと、前記第１液晶表示パネルと前記第２液晶表示パネルとの間にメインフレームを形成するステップと、前記第２液晶表示パネルをメインフレームに接続するプレートを形成するステップとを含む。
【発明の効果】
【００１７】
本発明の液晶表示装置によれば、第２液晶表示パネルを支持／固定できるプレートをメインフレームと第２液晶表示パネルとの間に設けることにより、第２液晶表示パネルの支持／固定できるようにした。これにより、第１液晶表示パネルに第２液晶表示パネルを支持／固定させるプレートにより、組み立ての便利性を向上させることができる。
【００１８】
これにより、上記液晶表示装置において第１液晶表示パネルに第２液晶表示パネルを支持／固定するその他の構造物が必要なくなることにより、設置コストが低減できるという効果がある。
【００１９】
また、液晶表示装置の組み立て性が向上して、製作作業時間の低減などの長所が発生でき、作業時間の短縮によって上記液晶表示装置を大量に生産できるという効果がある。
【００２０】
また、プレートには、アルミニウム金属、ステンレス金属、強化プラスチックなどの材質を使用すれば、衝撃、振動に対する耐久性があり、かつ軽量で形成できるようになる。上記液晶表示装置の重量制約などを解消できるため、軽量の液晶表示装置を製造できる。このように、プレートの厚さ又は重量などは、プレートの材質又は形状を変更できるため、上記液晶表示装置の厚さ又は重量制約に対する問題を解消できる。
【００２１】
また、プレートが第１カバー、メインフレームに取り付けることが容易であるため、液晶表示パネルメーカー又はシステムメーカーなどで容易に組み立てが可能になる。これにより、プレートから第２液晶表示パネルの脱着が可能なため、汎用化が可能となる。
これにより、プレートにより標準化された液晶表示装置を生産できる。
【００２２】
また、本発明に係る液晶表示装置を備えた携帯用コンピュータは、第２液晶表示パネルを第２カバーに備えることにより、第２液晶表示パネルにＰＤＡ機能及びＧＰＳ、動画、音楽鑑賞、電子メールなどの機能を表示できるため、携帯用コンピュータの液晶表示装置を開かずにクイックビュー（ｑｕｉｃｋ  ｖｉｅｗ）を具現できる。
したがって、ＰＤＡ機能及びＧＰＳ、動画、音楽鑑賞、電子メールなどの機能が追加されることによって、ユーザの多様な要求を満たすようになる。
【発明を実施するための最良の形態】
【００２３】
以下、添付図面に基づき、本発明の液晶表示装置及びこれを備えた携帯用コンピュータを、以下の実施の形態を通じて詳細に説明し、当業者は、本発明の教示を使用して、他の多くの実施の形態を具現でき、本発明の液晶表示装置及びこれを備えた携帯用コンピュータは、例示的な目的であり、以下の実施の形態に限定されない。
【００２４】
図２Ａは、本発明に係る液晶表示装置を示す分解斜視図であり、図２Ｂ〜図２Ｄは、図２ＡのＡの他の実施の形態を拡大した斜視図である。
【００２５】
図２Ａに示すように、液晶表示装置５は、第１液晶表示パネル２０と第２液晶表示パネル７０を間に置いて、第１及び第２液晶表示パネル２０，７０を保護する第１カバー１０及び第２カバー６０を備えている。
【００２６】
第１及び第２液晶表示パネル２０，７０は、画面を表示する部分であって、表示機能を行うために複数の装置を備えている。すなわち、第１及び第２液晶表示パネル２０，７０は、液晶を間に置いて上下基板が合着された液晶パネル、この液晶パネルを駆動させるドライバー及び各種回路素子が取り付けられた駆動回路部、及び背面から光を照射するバックライトアセンブリーを備えている（図示せず）。
【００２７】
第１カバー１０と第２カバー６０との間には、メインフレーム５０が設けられて、映像を表示できる第１及び第２液晶表示パネル２０，７０を支持／保護する。ここで、第１カバー１０及び第２カバー６０は、第１及び第２液晶表示パネル２０，７０を収容することができる形状に形成されている。
【００２８】
それで、第１カバー１０及び第２カバー６０は、互いに結合して外部の衝撃、異質物などに対して複数の液晶表示パネル２０，７０を支持／保護する役割を同時に行うことができる。
【００２９】
ここで、第１液晶表示パネル２０と第２液晶表示パネル７０との間に設けられるメインフレーム５０は、第１液晶表示パネル２０を固定／支持できる。
【００３０】
また、第２液晶表示パネル７０は、第１液晶表示パネル２０の表示方向を背にして形成される。ここで、第２液晶表示パネル７０とメインフレーム５０の背面との間には、プレート１００が設けられる。
【００３１】
プレート１００は、メインフレーム５０に支持／固定され、図２Ｂに示したプレート１００の本体１０５の所定領域には、第２液晶表示パネル７０を支持できる第２支持部１２０が設けられる。本体１０５のエッジには、本体１０５から第１液晶表示パネル２０方向に曲げられて形成された第１支持部１１０が設けられて、プレート１００をメインフレーム５０に左右方向で支持／固定できるようになる。
【００３２】
第２カバー６０は、第２液晶表示パネル７０の表示部が外部に露出されるように、第２液晶表示パネル７０に対応する形状にホールが形成されている。
【００３３】
図２Ｂに示したように、プレート１００の拡大斜視図において、液晶表示装置は、図２Ａを合わせて参照して説明すれば、液晶表示装置５は、第１液晶表示パネル２０を支持／固定できるメインフレーム５０を備え、第２液晶表示パネル７０は、プレート１００により支持／固定され得る。また、プレート１００は、メインフレーム５０に支持／固定され、かつ第２液晶表示パネル７０を支持できる支持物を備えることが好ましい。
【００３４】
そのため、本発明では、プレート１００の本体１０５には、第２液晶表示パネル７０を支持できる第２支持部１２０を備えている。ここで、第２支持部１２０は、プレート１００の本体１０５から第２液晶表示パネル７０の形状に対応するように、本体１０５の一部を曲げて形成できる。
【００３５】
本体１０５の一部から曲げられた第２支持部１２０は、第２液晶表示パネル７０を左右方向に支持できるようになる。そして、本体１０５は、第２液晶表示パネル７０の荷重を支持することができる。
【００３６】
このように、第２支持部１２０をプレート１００の本体１０５に形成することによって、第２液晶表示パネル７０を第２カバー６０及びメインフレーム５０に支持／固定しようとする他の構造物又は上記構造物の組み立て過程などを経なくても、簡便に第２液晶表示パネル７０を液晶表示装置５に支持／固定できる。
【００３７】
また、プレート１００は、第２液晶表示パネル７０を支持／固定し、かつメインフレーム５０に支持／固定されることにより、プレート１００の本体１０５が振動することを防止できる。すなわち、第１液晶表示パネル２０を支持し、液晶表示装置５の骨格構造をなすメインフレーム５０にプレート１００が支持／固定されることが好ましい。
そのため、プレート１００の本体１０５には、メインフレーム５０にプレート１００を支持／固定させ得る第１支持部１１０が設けられている。
【００３８】
第１支持部１１０は、メインフレーム５０の外骨格の形状に対応する形状（大きさ）に形成されている。ここで、第１支持部１１０の形状は、メインフレーム５０の少なくとも１つ以上の側部に対応するように設けることができる。
【００３９】
プレート１００がメインフレーム５０に支持／固定される支持／固定力を発生させるためには、第１支持部１１０がメインフレーム５０の少なくとも１つ以上の面を支持できるように、プレート１００上に形成される。また、第１支持部１１０は、メインフレーム５０上に形成されることができる。
【００４０】
このように、プレート１００をメインフレーム５０に支持／固定できることにより、第２液晶表示パネル７０を第１液晶表示パネル２０（すなわち、メイン表示装置）に支持／固定させるためのその他の構造物又は支持／固定装置がなくても、簡便に第２液晶表示パネル７０を液晶表示装置５に支持／固定させることができる。
【００４１】
したがって、プレート１００を液晶表示装置５に使用することにより、液晶表示装置５を製造する作業時間を短縮できる。また、この作業短縮によって液晶表示装置５を大量に生産できる。
【００４２】
図２Ｃは、第２支持部１２０が選択的に配置されたことを示す。特に、第２支持部１２０は、第２液晶表示パネル７０の３面に沿って形成されている。図２Ｄは、第１支持部１１０の他の配置図である。特に、第１支持部１１０は、プレート１００の外側の少なくとも２面に沿って形成されている。
【００４３】
ここで、プレート１００には、アルミニウム金属、ステンレス金属、強化プラスチックなどの材質を使用すれば、衝撃、振動に対する耐久性があり、かつ軽量化して形成できる。
【００４４】
その上、プレート１００に骨格にカットホール１３０領域などを設けて、プレート１００の重量を最小化できる。液晶表示装置５の重量制約などを解消できるため、軽量の液晶表示装置５を製造できる。
このように、プレート１００の厚さ又は重量などは、プレート１００の材質又は形状を変更できるため、液晶表示装置５の厚さ又は重量制約に対して解消できる。
【００４５】
また、プレート１００が第１カバー１０、メインフレーム５０への取り付けが容易なため、液晶表示パネルメーカー又はシステムメーカーなどで容易に組み立てることが可能となる。
【００４６】
また、プレート１００から第２液晶表示パネル７０の脱着が可能になることによって、汎用化が可能となる。
【００４７】
ここで、液晶表示装置５において、プレート１００の使用の有無に応じて、プレート１００に対応するカバーと、プレート１００を使用しないカバーとを区別して生産すれば、表示部がデュアルである液晶表示装置と表示部が１つである液晶表示装置を共に使用できる汎用化が可能となる。
これにより、プレート１００により標準化された液晶表示装置５を生産できる。
【００４８】
図３Ａは、本発明に係る液晶表示装置の平面図であり、図３Ｂは、図３ＡのＩＩＩ−ＩＩＩ´断面図である。ここで、液晶表示装置の平面図は、第１カバーを示していない状態で液晶表示装置の背面を示す。
【００４９】
図３Ａでは、メインフレーム５０とプレート１００の支持／固定構造について説明する。そして、図３Ｂでは、プレートと第２液晶表示装置の支持／構造について説明する。
【００５０】
図３Ａに示す液晶表示装置の平面図のように、液晶表示装置５は、第１液晶表示パネル２０及び第２液晶表示パネル７０を備えている。
【００５１】
第１液晶表示パネル２０は、メインフレーム５０により支持／固定される。ここで、メインフレーム５０の背面には、第２液晶表示パネル７０が設けられる。ここで、液晶表示装置５は、第２液晶表示パネル７０を支持／固定できる支持／固定手段が必要となる。
それで、第２液晶表示パネル７０を支持／固定できる板状のプレート１００をメインフレーム５０の背面に設けることができる。
【００５２】
ここで、プレート１００は、本体１０５に複数の支持部１１０，１２０を備えている。本体１０５に備えられる第１支持部１１０は、本体１０５からメインフレーム５０の方向に曲げられて、メインフレーム５０、第１カバー１０に支持／取り付けられて、本体１０５の振動を防止できる。
【００５３】
プレート１００の少なくとも１つ以上の側部は、メインフレーム５０に支持／固定され得る第１支持部１１０が設けられる。ここで、第１支持部１１０は、メインフレーム５０に支持／固定されて、プレート１００を左右方向に支持／固定できる。
【００５４】
このように、本体１０５に形成された第１支持部１１０は、メインフレーム５０の一部領域に固定／定着されて、液晶表示装置５にプレート１００を固定する機能を果たす。
【００５５】
プレート１００の本体１０５には、またプレート１００の重量及び厚さを最小化させ得るカットホール１３０領域が設けられる。
カットホール１３０領域は、メインフレーム５０又は第２液晶表示パネル７０を支持／固定できる構造物、そして、本体１０５の形状を維持できる骨格のみを残し、残り領域には、板状の本体１０５の一部を除去するカットホール１３０領域に形成して、本体１０５の重量を最小化できるプレート１００を形成できる。
【００５６】
ここで、図３Ｂに示したように、第２液晶表示パネル７０が支持／固定される第２支持部１２０の領域には、カットホール１３０が設けられて、プレート１００の重量及び厚さを最小化できる。そして、本体１０５に形成された第２支持部１２０の領域に形成されたカットホール１３０領域により、強度が弱くなった本体１０５の強度を強化するために、強度補強形状をカットホール１３０領域の周辺に形成することにより、プレート１００の強度を補強できる。このように、本体１０５の骨格を強化できる形状にプレート１００の形状を維持できる。
【００５７】
なお、本体１０５の材質をアルミニウム金属、プラスチック、ステンレス鋼等の軽い材質で形成することによって、本体１０５の形状を維持し、かつ衝撃、振動などにも耐えることができ、軽量化されて形成されるプレート１００を形成できる。
このように、プレート１００を軽量化して形成し、メインフレーム５０、第１カバー１０にプレート１００を支持／固定できることにより、液晶表示装置５の重量及び厚さ制約を解消できる。
【００５８】
また、本体１０５に形成される第２支持部１２０の形状（大きさ）を調節して、第２液晶表示パネル７０の多様な形状に対して対応できる。すなわち、第２液晶表示パネル７０の形状（大きさ）に応じて、本体１０５のみならず、第２液晶表示パネル７０を支持する第２支持部１２０の形状（大きさ）を調節できる。そして、第２液晶表示パネル７０に対応する形状（大きさ）の第２カバー６０を設けて、両面に表示部を有するデュアル液晶表示装置５を具現できる。
【００５９】
したがって、所定の形状を有する第２液晶表示パネル７０に対応できるプレート１００を使用することにより、液晶表示装置５の標準化を具現できる。
【００６０】
図３Ｂに示す液晶表示装置の断面図のように、液晶表示装置５は、第１液晶表示パネル２０及び第２液晶表示パネル７０を備えている。ここで、第１液晶表示パネル２０は、メインフレーム５０により支持され、第１カバー１０により保護される。
【００６１】
第２液晶表示パネル７０は、第１液晶表示パネル２０の背面に設けられる。第２液晶表示パネル７０を詳細に説明すれば、メインフレーム５０の背面に設けられる。
【００６２】
ここで、第２液晶表示パネル７０は、第１液晶表示パネル２０のように支持され得るメインフレーム５０のような支持／固定構造物がないため、液晶表示装置５には、第２液晶表示パネル７０を支持できる構造物が必要とされる。すなわち、第２液晶表示パネル７０をメインフレーム５０と第２カバー６０に相当するように支持できる構造物が必要とされる。
それで、メインフレーム５０と第２カバー６０との間に第２液晶表示パネル７０を支持／固定できるプレート１００を設ける。
【００６３】
プレート１００は、形状をなす本体１０５と、本体１０５から曲げられて形成される第１支持部１１０及び第２支持部１２０とを備えている。
【００６４】
本体１０５は、メインフレーム５０に支持／固定されて、プレート１００の振動を防止できる。ここで、プレート１００がメインフレーム５０に支持／固定されるために、第１支持部１１０が本体１０５のＣ形状を成す側部面に設けられる。
【００６５】
ここで、第１支持部１１０は、本体１０５を第１カバー１０方向に曲げて、第１カバー１０に型合わせ又は取り付けが可能なようにプレート１００を形成できる。
【００６６】
詳細に説明すれば、第１支持部１１０は、メインフレーム５０の側部、第１カバー１０に接触してプレート１００を支持する。ここで、メインフレーム５０にプレート１００の本体１０５が支持され得るように、第１支持部１１０に支持力を向上させるフック形状、シェブロン形状及び両面テープ１５０などを備えることができる。
【００６７】
図３Ｂでは、第１実施の形態として、第１支持部１１０に両面テープ１５０が備えられたことを示す。そして、第２実施の形態として、第１支持部１１０とメインフレーム５０とを互いに結合させ得るシェブロン（図４の１５５参照）形状などは、図４で後述する。
【００６８】
このように、第１支持部１１０に支持力を向上させるフック形状、シェブロン形状及び両面テープなどを形成することによって、メインフレーム５０のいずれかの側部との結合のみでも、又はメインフレーム５０及び第１カバー１０によっても、プレート１００を支持できる。
【００６９】
したがって、メインフレーム５０上でプレート１００を自由に調整することができる。すなわち、第２液晶表示パネル７０を支持するプレート１００であるため、第２液晶表示パネル７０の位置を第２カバー６０で自由に調整できる。
【００７０】
このように、プレート１０１の本体１０５の振動を防止できる第１支持部１１０によって、プレート１００は、メインフレーム５０及び第１カバー１０に支持／固定され得る。
【００７１】
プレート１００の本体１０５の下部には、スポンジなどを含む衝撃吸収体１４０をさらに設けることができる。ここで、第１液晶表示パネル２０は、複数の光学部材を有するバックライトアセンブリーを備えている（図示せず）が、液晶表示装置５に衝撃、振動などが提供されれば、プレート１００と上記バックライトアセンブリーに設けられた光学部材が衝突するおそれがある。
【００７２】
この衝撃により、第１液晶表示パネル２０は、光学部材などに損傷が発生して表示画面に映像不良が生じることがある。それで、衝撃吸収体１４０は、本体１０５の下部に設けられて、衝撃、振動などにより発生するプレート１００と第１液晶表示パネル２０とが衝突するという問題を最小化させることができる。
【００７３】
また、プレート１００は、第２液晶表示パネル７０を支持／固定できる。そのため、プレート１００の本体１０５には、第２液晶表示パネル７０を支持／固定できる第２支持部１２０が設けられる。
ここで、第２支持部１２０は、プレート１００の本体１０５を曲げて第２支持部１２０を形成できる。第２支持部１２０の曲げ方向は、第２カバー６０方向に形成し、第２支持部１２０は、第２液晶表示パネル７０を左右方向で支持／固定できる。
【００７４】
このように、第２液晶表示パネル７０を支持／固定できるプレート１００を第２カバー６０とメインフレーム５０との間に形成することによって、第２液晶表示パネル７０を支持／固定するための追加的な構造物を液晶表示装置５に設ける必要がなくなる。
【００７５】
プレート１００の使用により、第２液晶表示パネル７０を支持／固定できる支持／固定具造物が必要なくなるため、支持／固定構造物の設置にかかる設置コストを低減でき、支持／固定できる構造物に第２液晶表示パネル７０を設置する作業時間が短縮されることにより、液晶表示装置５の生産量を増加させ得る。すなわち、液晶表示装置５を大量に生産できる。
【００７６】
また、第２支持部１２０の形状が、本体１０５から第２カバー６０方向へ形成されているため、第２液晶表示パネル７０を第２支持部１２０から容易に脱着可能にすることができる。
【００７７】
したがって、液晶表示装置５を製造するメーカー又は液晶表示装置５を完成するシステムメーカーなど、如何なる製造ラインでも、プレート１００を使用してデュアル液晶表示装置５を形成できる。すなわち、デュアル液晶表示装置５を如何なるメーカーでも製造できるため、プレート１００を汎用で使用することができる汎用化が可能となる。
【００７８】
図４は、本発明に係る図３Ａに示したプレート１００の他の実施の形態を示した図である。
同図に示すように、液晶表示装置５は、第１液晶表示パネル２０及び第２液晶表示パネル７０を備えている。ここで、第２液晶表示パネル７０を第１液晶表示パネル７０の構造物に支持／固定するために、第１液晶表示パネル２０と第２液晶表示パネル７０との間には、第２液晶表示パネル７０を支持／固定できるプレート１００が設けられる。
プレート１００は、第１液晶表示パネル２０の構造物に支持／固定して振動を防止できるように、複数の支持部を備えることができる。
【００７９】
プレート１００の本体１０５は、第１液晶表示パネル２０のメインフレーム５０に支持／固定されるための第１支持部１１０、及び第２液晶表示パネル７０を支持／固定できる第２支持部１２０を備えている。
ここで、第１支持部１１０は、メインフレーム５０又は第１カバー１０に支持／固定又は取り付けられる。そして、第２支持部１２０は、第２液晶表示パネル７０のカバーと接触する。
【００８０】
それで、第１及び第２支持部１１０，１２０をシェブロン形状（＜）１５５に曲げて、第１及び第２支持部１１０，１２０とカバー又はメインフレーム５０の形状に型合わせられるようにすることができる。
【００８１】
このように、第１及び第２支持部１１０，１２０の形状をシェブロン形状１５５に変更することにより、第１及び第２支持部１１０，１２０とメインフレーム５０又は第２液晶表示パネル７０との結合力を向上させ得る。
【００８２】
このように、液晶表示装置５のメインフレーム５０に第２液晶表示パネル７０を左右方向に支持／固定できるプレート１００を設けて、映像を両方向に表示できる。
【００８３】
図５Ａ及び図５Ｂは、本発明に係る液晶表示装置を備えた携帯用コンピュータの斜視図である。
【００８４】
図５Ａに示すように、携帯用コンピュータ１は、入力装置２１０及び電力供給装置２２０を備えた本体２０１と、本体２０１から提供された命令などを表示する液晶表示装置５とを備えている。
液晶表示装置５は、本体２０１にヒンジ２３０により接続され、入力装置２１０の方向に第１表示部２５を有する第１液晶表示パネル２０を備えている。
【００８５】
ここで、第１液晶表示パネル２０は、第１カバー１０方向に表示するように設けられている。第１液晶表示パネル２０は、第１表示部２５が設けられてメイン表示部として機能する。それで、第１表示部２５は、文書作業などをするとき、メイン表示部であって、入力装置２１０が設けられた方向に設けられる。
第１表示部２５が設けられている第１液晶表示パネル２０は、電力供給装置２２０から電源を供給されて、映像を表示できる。
【００８６】
図５Ｂに示すように、携帯用コンピュータ１の第２液晶表示パネル７０は、第１表示部２５を背にする方向に設けられている。すなわち、第２カバー６０に第２液晶表示パネル７０を設けて、第１表示部２５を背にする第２表示部７５を設けることができる。
ここで、第２カバー６０は、液晶表示装置５を保護するためのカバーであって、従来には、液晶表示装置５を折り畳んで表示部を保護し、携帯用コンピュータの使用時には、液晶表示装置５を開いて本体のシステムをオンして使用する。
【００８７】
しかしながら、本発明では、第２表示部７５を第２カバー６０に設けることにより、液晶表示装置５を閉じても、第２表示部７５を有する第２液晶表示パネル７０により速かに携帯用コンピュータ１の内蔵された情報を確認することができる。
【００８８】
また、ユーザが入力したメモリにより、メニュー選択ウィンドウを第２表示部７５に設けることができる。それで、携帯用コンピュータ１の液晶表示装置５を折り畳んでも、第２表示部７５に入力されたメモリにより携帯用コンピュータ１のシステムを速く使用できる。
【００８９】
ここで、第２カバー６０に第２液晶表示パネル７０を制御できるメニュー入力キー部２４０を設けて、第２表示部７５に設けられたユーザの入力されたメモリを制御できる。また、第２液晶表示パネル７０の第２表示部７５は、被感知体の接触を感知できるタッチスクリーン機能を追加することもできる。
【００９０】
このように、携帯用コンピュータ１に電源がオフした状態又は液晶表示装置５が閉じた状態で、液晶表示装置５を開いてシステムをオンさせなくても、速かに本体２０１の情報を確認できる。
【００９１】
図６は、本発明に係る第２表示部７０が設けられた携帯用コンピュータ１を示す図である。
同図に示すように、携帯用コンピュータ１の液晶表示装置５は、ヒンジ２３０を間に置いて本体２０１に接続されており、ヒンジ２３０は、液晶表示装置５を折り畳むことができるようになっている。
【００９２】
ここで、液晶表示装置５は、映像を表示できる第１表示部２５及び第２表示部７５を備えている。第１表示部２５は、メイン表示部であって、本体２０１の入力装置２１０方向に設けられて、液晶表示装置５を折り畳むようになれば、第１表示部２５では映像を見ることができなくなる。
それで、第２表示部７５を有する第２液晶表示パネル７０を第２カバー６０の方向に設けることによって、液晶表示装置５が閉じられても、携帯用コンピュータ１の表示機能を行うことができるようにする。
【００９３】
ここで、第２表示部７５は、ユーザの入力により、所定のユーザメモリに応じて初期メニューを表示することもできる。
初期メニューは、ユーザの選択により、音楽鑑賞、電子メール、スケジュール、ＤＭＢ放送などを表示できる。ここで、第２液晶表示パネル７０は、本体２０１の簡単な機能である電子メールの確認、又はスケジュール表、ＭＰ３などを行うようにすることによって、携帯用コンピュータ１の携帯機能を向上させる。
【００９４】
また、第２液晶表示パネル７０にメニューを選択できるように、第２カバー６０にメニュー入力キー部２４０をさらに備えることができる。初期メニューは、第２液晶表示パネル７０のタッチスクリーン機能により、初期メニューを選択でき、第２カバー６０に設けられたメニュー入力キー部２４０により、初期メニューを選択できる。
【００９５】
したがって、第２液晶表示パネル７０は、携帯用コンピュータ１の液晶表示装置５を開いてシステムをオンさせなくても、速かに情報を確認することができる。すなわち、携帯用コンピュータ１のシステムがオフ又は液晶表示装置５が閉じられた状態（電源がオフした状態）になっても、本体２０１の情報を確認することができるという便利性を高めることができる。
【００９６】
このように、本発明の携帯用コンピュータ１は、第２液晶表示パネル７０を第２カバー６０の方向に備えることにより、第２液晶表示パネル７０にＰＤＡ機能及びＧＰＳ、動画、音楽鑑賞、電子メールなどの機能を表示できるため、携帯用コンピュータ１の液晶表示装置５を開かなくても、クイックビューを具現できる。したがって、ＰＤＡ機能及びＧＰＳ、動画、音楽鑑賞、電子メールなどの表示機能が第２液晶表示パネル７０に追加されることにより、ユーザの多様な要求を満すようになる。
【００９７】
図７は、本発明に係る液晶表示装置を制御するための一実施の形態を示すブロック図である。
同図に示すように，メモリ２６０と接続したＣＰＵ２５０は、第１液晶表示パネル２０及び第２液晶表示パネル７０にディスプレイされた情報を提供する。特に、ＣＰＵ２５０は、映像信号を第１表示部２５と第２表示部７５にそれぞれ伝送する。それぞれ第１及び第２バックライト部２５ａ，７５ａの動作により、ユーザは、第１及び第２表示部２５，７５にディスプレイされる映像を見ることができる。電力供給装置２２０と接続したコントローラ２７０は、液晶表示装置５が折り畳まれた状態または折り畳まれていない状態であるかにより、第１及び第２バックライト部２５ａ，７５ａのターンオンまたはターンオフを決定する。
【００９８】
コントローラ２７０は、第１液晶表示パネル２０又は第２液晶表示パネル７０上においてディスプレイされる情報であるか否かを決定する。例えば、コントローラ２７０は、液晶表示装置５が本体２０１に折り畳まれていない状態であるとき、第１液晶表示パネル２０を動作させるか、液晶表示装置５が本体２０１に折り畳まれたとき、第２液晶表示パネル７０を動作させるスイッチを備える。
【００９９】
図８は、本発明に係る液晶表示装置を制御するための他の実施の形態を示すブロック図である。
同図に示すように、メモリ２６０と接続したＣＰＵ２５０は、第１液晶表示パネル２０と第２液晶表示パネル７０に表示された情報を提供する。電力供給装置２２０と接続したコントローラ２７０は、液晶表示装置５が折り畳まれた状態または折り畳まれていない状態であるかに応じて、第１及び第２バックライト部２５ａ，７５ａのターンオンまたはターンオフを決定する。
【０１００】
その上、コントローラ２７０は、第１及び第２表示部２５，７５それぞれに、ＣＰＵ２５０からの映像データを供給する。コントローラ２７０は、第１液晶表示パネル２０または第２液晶表示パネル７０上において表示される情報を決定する。例えば、コントローラ２７０は、液晶表示装置５が本体２０１に折り畳まれていない状態であるとき、第１液晶表示パネル２０を動作させるか、液晶表示装置５が本体２０１に折り畳まれたとき、第２液晶表示パネル７０を動作させる第１スイッチを備える。
【０１０１】
また、コントローラ２７０は、ＣＰＵ２５０からの映像信号を液晶表示装置５が折り畳まれていないとき、第１表示部２５に供給するか、または液晶表示装置５が折り畳まれているとき、映像信号を第２表示部７５に供給する第２スイッチを備える。
【０１０２】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【０１０３】
【図１Ａ】従来の携帯用コンピュータを示す斜視図である。
【図１Ｂ】従来の携帯用コンピュータを示す斜視図である。
【図２Ａ】本発明に係る液晶表示装置を示す分解斜視図である。
【図２Ｂ】図２ＡのＡのさらに他の実施の形態を拡大した斜視図である。
【図２Ｃ】図２ＡのＡのさらに他の実施の形態を拡大した斜視図である。
【図２Ｄ】図２ＡのＡのさらに他の実施の形態を拡大した斜視図である。
【図３Ａ】本発明に係る液晶表示装置の平面図である。
【図３Ｂ】図３ＡのＩＩＩ−ＩＩＩ´断面図である。
【図４】本発明に係る図３Ａに示すプレートの他の実施の形態である。
【図５Ａ】本発明に係る液晶表示装置を備えた携帯用コンピュータの斜視図である。
【図５Ｂ】本発明に係る液晶表示装置を備えた携帯用コンピュータの斜視図である。
【図６】本発明に係る第２表示部が設けられた携帯用コンピュータを示す図である。
【図７】本発明に係る液晶表示装置を制御するための一実施の形態を示すブロック図である。
【図８】本発明に係る液晶表示装置を制御するための他の実施の形態を示すブロック図である。
【符号の説明】
【０１０４】
５    液晶表示装置
２０    第１液晶表示パネル
７０    第２液晶表示パネル
１００    プレート
１０５    本体
１１０    第１支持部
１２０    第２支持部
【図１Ａ】
2008015453.tif 000003
【図１Ｂ】
2008015453.tif 000004
【図２Ａ】
2008015453.tif 000005
【図２Ｂ】
2008015453.tif 000006
【図２Ｃ】
2008015453.tif 000007
【図２Ｄ】
2008015453.tif 000008
【図３Ａ】
2008015453.tif 000009
【図３Ｂ】
2008015453.tif 000010
【図４】
2008015453.tif 000011
【図５Ａ】
2008015453.tif 000012
【図５Ｂ】
2008015453.tif 000013
【図６】
2008015453.tif 000014
【図７】
2008015453.tif 000015
【図８】
2008015453.tif 000016